(57)【特許請求の範囲】
【請求項１】
天面が開放された二重壁形式の身箱に、収容物を固定するパッドが装着された贈答用組み立て箱であって、
前記パッドは１枚のシートからなり、
それぞれ折り曲げ線を介して第１扉板、第１左側板、第１底板、第１右側板、縁板、第２左側板、第２底板、第２右側板、第２扉板が順次連設され、
前記第１底板の相対向する短手方向の端縁にはそれぞれ折り曲げ線を介して第１側板、第１底板装飾板が順次連設され、
前記相対向するそれぞれの第１側板の左端縁には折り曲げ線を介して隣接する第１左側板の端縁に折り曲げ線を介して連結するように折り込み舌片が連設され、
前記それぞれの第１底板装飾板の左端縁には折り曲げ線を介して強化舌片が連設され、
前記それぞれの第１側板の右端縁には折り曲げ線を介して第１差し込み片が連設され、
前記第２底板の相対向する短手方向の端縁にはそれぞれ折り曲げ線を介して第２側板、第２底板装飾板が順次連設され、
前記相対向するそれぞれの第２側板の右端縁には折り曲げ線を介して隣接する第２右側板の端縁に折り曲げ線を介して連結するように折り込み舌片が連設され、
前記それぞれの第２底板装飾板の右端縁には折り曲げ線を介して強化舌片が連設され、
前記それぞれの第２側板の左端縁には折り曲げ線を介して第２差し込み片が連設され、
前記第１差し込み片の右端縁と前記第２差し込み片の左端縁とは折り曲げ線を介して連設され、た構成からなるブランクを、
各々の折り曲げ線に沿って必要に応じて山折り、谷折りして第１底板を第１底面とし、第１左側板、第１右側板、相対向する二つの第１側板それぞれを側面とする第１収納部と、
第２底板を第２底面とし、第２左側板、第２右側板、相対向する二つの第２側板それぞれを側面とする第２収納部とに組み立てた時、
前記第１収納部と第２収納部とは縁板を介して連設されてなることを特徴とする、贈答用組み立て箱。
【請求項２】
前記第１底板と第２底板とは長方形状に形成されていることを特徴とする、請求項１記載の贈答用組み立て箱。
【請求項３】
前記第１収納部と第２収納部とは縁板を対称面として左右対称に形成されていることを特徴とする、請求項１又は２記載の贈答用組み立て箱。
【請求項４】
前記相対向する第１底板装飾板および第２底板装飾板の一方の側の第１底板装飾板と第２底板装飾板には、
第１底板装飾板の右端縁は折り曲げ線を介して装飾舌片が連設され、第２底板装飾板の左端縁は折り曲げ線を介して装飾舌片が連設されていることを特徴とする、請求項１、２又は３記載の贈答用組み立て箱。
【請求項５】
前記第１差し込み片と第２差し込み片の互いに連設された側で縁板と離れている方の隅角は、切り欠いて形成されていることを特徴とする、請求項１、２、３又は４記載の贈答用組み立て箱。
【発明の詳細な説明】
【技術分野】
【０００１】
本発明は、天面が開放された二重壁形式の身箱に、収容物を固定するパットが装着された贈答用組み立て箱に関するものであり、特には、一枚のシートから組み立てが可能なパットを用いた贈答用組み立て箱に関する。
【背景技術】
【０００２】
従来、天面が開放された二重壁形式の身箱タイプにおいては、身箱に収容する例えば、清酒等の収容物を固定するパッドは、個々に分別された仕切り板等の部品類を要所要所にセットすることにより行われてきた。このため、部品数が多くなり作業の効率化にも悪影響を及ぼし、さらにコスト面からも問題が生じていた。さらに、パッドは収容物を保護するだけの役割に過ぎず、装飾等の二次的な利用はされていなかった。
【発明の開示】
【発明が解決しようとする課題】
【０００３】
本発明は、天面が開放された二重壁形式の身箱に、収容物を固定するパットが装着された組み立て箱に関する以上のような問題に鑑みてなされたもので、一枚のシートからパッドを組み立て、緩衝効果のほかに装飾性を持たせるなど多目的に応用展開できる贈答用組み立て箱を提供することを課題とする。
【課題を解決するための手段】
【０００４】
本発明の請求項１の発明は、天面が開放された二重壁形式の身箱に、収容物を固定するパッドが装着された贈答用組み立て箱であって、
前記パッドは一枚のシートからなり、それぞれ折り曲げ線を介して第１扉板、第１左側板、第１底板、第１右側板、縁板、第２左側板、第２底板、第２右側板、第２扉板が順次連設され、前記第１底板の相対向する短手方向の端縁には、それぞれ折り曲げ線を介して第１側板、第１底板装飾板が順次連設され、前記相対向するそれそれの第１側板の左端縁には折り曲げ線を介して隣接する第１左側板の端縁に折り曲げ線を介して連結するように折り込み舌片が連設され、前記それぞれの第１底板装飾板の左端縁には折り曲げ線を介して強化舌片が連設され、前記それぞれの第１側板の右端縁には折り曲げ線を介して第１差し込み片が連設され、前記第２底板の相対向する短手方向の端縁にはそれぞれ折り曲げ線を介して第２側板、第２底板装飾板が順次連設され、前記相対向するそれぞれの第２側板の右端縁には折り曲げ線を介して隣接する第２右側板の端縁に折り曲げ線を介して連結するように折り込み舌片が連設され、前記それぞれの第２底板装飾板の右端縁には折り曲げ線を介して強化舌片が連設され、前記それぞれの第２側板の左端縁には折り曲げ線を介して第２差し込み片が連設され、前記第１差し込み片の右端縁と前記第２差し込み片の左端縁とは折り曲げ線を介して連設された構成からなるブランクを、
各々の折り曲げ線に沿って必要に応じて山折り、谷折りして第１底板を第１底面とし、第１左側板、第１右側板、相対向する二つの第１側板それぞれを側面とする第１収納部と、第２底板を第２底面とし、第２左側板、第２右側板、相対向する二つの第２側板それぞれを側面とする第２収納部として組み立てた時、前記第１収納部と第２収納部とは縁板を介して連設されてなることを特徴とする、贈答用組み立て箱である。
【０００５】
このように請求項１記載の発明によれば、パッドは一枚のシートからなり、それぞれ折り曲げ線を介して第１扉板、第１左側板、第１底板、第１右側板、縁板、第２左側板、第２底板、第２右側板、第２扉板が順次連設され、前記第１底板の相対向する短手方向の端縁には、それぞれ折り曲げ線を介して第１側板、第１底板装飾板が順次連設され、前記相対向するそれそれの第１側板の左端縁には折り曲げ線を介して隣接する第１左側板の端縁
に折り曲げ線を介して連結するように折り込み舌片が連設され、前記それぞれの第１底板装飾板の左端縁には折り曲げ線を介して強化舌片が連設され、前記それぞれの第１側板の右端縁には折り曲げ線を介して第１差し込み片が連設され、前記第２底板の相対向する短手方向の端縁にはそれぞれ折り曲げ線を介して第２側板、第２底板装飾板が順次連設され、前記相対向するそれぞれの第２側板の右端縁には折り曲げ線を介して隣接する第２右側板の端縁に折り曲げ線を介して連結するように折り込み舌片が連設され、前記それぞれの第２底板装飾板の右端縁には折り曲げ線を介して強化舌片が連設され、前記それぞれの第２側板の左端縁には折り曲げ線を介して第２差し込み片が連設され、前記第１差し込み片の右端縁と前記第２差し込み片の左端縁とは折り曲げ線を介して連設された構成からなるブランクを、各々の折り曲げ線に沿って必要に応じて山折り、谷折りして第１底板を第１底面とし、第１左側板、第１右側板、相対向する二つの第１側板それぞれを側面とする第１収納部と、第２底板を第２底面とし、第２左側板、第２右側板、相対向する二つの第２側板それぞれを側面とする第２収納部として組み立てた時、前記第１収納部と第２収納部とは縁板を介して連設されてなるので、第１収納部と第２収納部の間の仕切り板や扉板、装飾板等がすべて一枚のブランクを組み立てて形成されており、作業効率が向上する。また、扉板を開けることで、床飾りとしても活用できる。
【０００６】
また、請求項２の発明は、請求項１の発明において、前記第１底板と第２底板とは長方形状に形成されていることを特徴とする、贈答用組み立て箱である。
【０００７】
このように請求項２記載の発明によれば、第１底板と第２底板とは長方形状に形成されているので、長い内容物を収納することができる。
【０００８】
また、請求項３の発明は、請求項１又は２記載の発明において、前記第１収納部と第２収納部とは縁板を対称面として左右対称に形成されていることを特徴とする、贈答用組み立て箱である。
【０００９】
このように請求項３記載の発明によれば、第１収納部と第２収納部とは縁板を対称面として左右対称に形成されているので、同じ形のものを二つ収納でき見栄えが良い。
【００１０】
また、請求項４の発明は、請求項１、２又は３記載の発明において、前記相対向する第１底板装飾板および第２底板装飾板の一方の側の第１底板装飾板と第２底板装飾板には、第１底板装飾板の右端縁は装飾舌片が突出して形成され、第２底板装飾板の左端縁は装飾舌片が突出して形成されていることを特徴とする、贈答用組み立て箱である。
【００１１】
このように請求項４記載の発明によれば、一方の側の第１底板装飾板と第２底板装飾板には、第１底板装飾板の右端縁は装飾舌片が突出して形成され、第２底板装飾板の左端縁は装飾舌片が突出して形成されているので、パッドを組み立てた際、縁板は隠れて見栄えが良く見える。
【００１２】
また、請求項５の発明は、請求項１、２、３又は４記載の発明において、前記第１差し込み片と第２差し込み片の互いに連設された側で縁板と離れている方の隅角は、切り欠いて形成されていることを特徴とする、贈答用組み立て箱である。
【００１３】
このように請求項５記載の発明によれば、第１差し込み片と第２差し込み片の互いに連設された側で縁板と離れている方の隅角は、切り欠いて形成されているので、パッドを組み立てる際、折り込まれた第１差し込み片と第２差し込み片を第１右側板と第２左側板の重なり部分に無理なく挿入することができる。
【発明の効果】
【００１４】
このように本発明の贈答用組み立て箱は、贈答用として、身箱のパッドの扉板を開封することにより、あらかじめ内面に金屏風表現印刷された扉が開き、つぎに下面部の内面に緋毛氈表現された部分を開けて、上部は幕部分で身箱をそのまま床飾りとして簡易に展示することができる（両面印刷効果を演出する）。
【００１５】
パッドの上下部分のトムソン型等を各々のテーマに合った形状のバリエーション展開が可能で、幅広い業界、業種に対応でき、水平展開ができる。
中身の商品の特徴により、一枚の用紙の斤量を変更することにより，コワレモノとうにも対応が可能である（応用展開が可能）。
身箱としてのパッドの扉部分が商品の天パッドの役割をするため、蓋部分はスリーブ等に変更することも可能でコストを低減できる。
ゴミ廃棄が容易で廃棄量を少なくすることが可能である。
【発明を実施するための最良の形態】
【００１６】
本発明を実施形態に基づいて以下に詳細に説明する。
本発明の贈答用組み立て箱は、例えば、図１、図２、図３、図４に示すように、天面が開放された二重壁形式の身箱（２）に、収納物（図示せず）を固定するパッド（３）が装着された贈答用組み立て箱（１）である。
【００１７】
パッド（３）は、以下に説明する一枚のシートからなるブランク（１０）を組み立ててなるものである。
すなわち、それぞれ折り曲げ線を介して、第１扉板（１１）、第１左側板（１２）、第１底板（１３）、第１右側板（１４）、縁板（１５）、第２左側板（１６）、第２底板（１７）、第２右側板（１８）、第２扉板（１９）が順次連設されている。
【００１８】
第１底板（１３）の相対向する短手方向の端縁には、それぞれ折り曲げ線を介して第１側板（１３１）、第１底板装飾板（１３２）が順次連設されている。
【００１９】
また、相対向するそれそれの第１側板（１３１）の左端縁には折り曲げ線を介して隣接する第１左側板（１２）の端縁に折り曲げ線を介して連結するように折り込み舌片（１３３）が連設されている。
【００２０】
さらに、それぞれの第１底板装飾板（１３２）の左端縁には折り曲げ線を介して強化舌片（１３４）が連設され、それぞれの第１側板（１３１）の右端縁には折り曲げ線を介して第１差し込み片（１３５）が連設されている。
【００２１】
第２底板（１７）の相対向する短手方向の端縁にはそれぞれ折り曲げ線を介して第２側板（１７１）、第２底板装飾板（１７２）が順次連設されている。
【００２２】
また、相対向するそれぞれの第２側板（１７１）の右端縁には折り曲げ線を介して隣接する第２右側板（１８）の端縁に折り曲げ線を介して連結するように折り込み舌片（１７３）が連設されている。
【００２３】
さらに、それぞれの第２底板装飾板（１７２）の右端縁には折り曲げ線を介して強化舌片（１７４）が連設され、それぞれの第２側板（１７１）の左端縁には折り曲げ線を介して第２差し込み片（１７５）が連設されている。
【００２４】
また、第１差し込み片（１３５）の右端縁と第２差し込み片（１７５）の左端縁とは谷折り線（ａ）を介して連設されている。
【００２５】
第１底板（１３）の第１左側板（１２）寄りの二つの隅角から斜め外方に向けて、二つの折り込み舌片（１３３、１３３）を略二分する、山折り線（ｂ）が形成され、第２底板（１７）の第２右側板（１８）寄りの二つの隅角から斜め外方に向けて、二つの折り込み舌片（１７３、１７３）を略二分する、山折り線（ｂ）が形成されている。
【００２６】
相対向する第１底板装飾板（１３２、１３２）および第２底板装飾板（１７２、１７２）の一方の側の第１底板装飾板（１３２）と第２底板装飾板（１７２）には、第１底板装飾板の右端縁は装飾舌片（１３６）が突出して形成され、第２底板装飾板の左端縁は装飾舌片（１７６）が突出して形成されている。
【００２７】
図４は、本発明の贈答用組み立て箱（１）に使用する身箱（２）を展開したブランク（３０）の一実施例を示す、展開説明図である。
身箱（２）は天面が開放された側面が二重壁形式の一般的に公知の組み立て箱が使用できる。詳細な説明は省略する。
【００２８】
このような構造からなるブランク（１０）を、各々の折り曲げ線に沿って必要に応じて山折り谷折りして、第１底板（１３）を第１底面とし、第１左側板（１２）、第１右側板（１４）、相対向する二つの第１側板（１３１、１３１）それぞれを側面とする第１収納部（４）と、第２底板（１７）を第２底面とし、第２左側板（１６）、第２右側板（１８）、相対向する二つの第１側板（１７１、１７１）それぞれを側面とする第２収納部（５）と、からなるパッド（３）に組み立てる。
【００２９】
別途身箱のブランク（３０）から組み立てておいた身箱（２）の天面から、組み立てたパッド（３）を挿入して図１に示す、贈答用組み立て箱とする。
【００３０】
この贈答用組み立て箱を横置きして扉板を開け、装飾舌片の付いた第１底板装飾板と第２底板装飾板を前に倒すと、床飾りとして活用できる。
【図面の簡単な説明】
【００３１】
【図１】本発明の贈答用組み立て箱の一実施例を示す、斜視説明図である。
【図２】図１の贈答用組み立て箱の扉板を開いて内部を開放した状態の一実施例を示す、斜視説明図である。
【図３】本発明の贈答用組み立て箱に使用するパッドの一実施例を示す、展開平面図である。
【図４】本発明の贈答用組み立て箱に使用する身箱の一実施例を示す、展開平面図である。
【符号の説明】
【００３２】
１‥‥贈答用組み立て箱
２‥‥身箱
３‥‥パッド
４‥‥第１収納部
５‥‥第２収納部
１０‥‥パッドのブランク
１１‥‥第１扉板
１２‥‥第１左側板
１３‥‥第１底板
１４‥‥第１右側板
１５‥‥縁板
１６‥‥第２左側板
１７‥‥第２底板
１８‥‥第２右側板
１９‥‥第２扉板
３０‥‥身箱のブランク
１３１‥‥第１側板
１３２‥‥第１底板装飾板
１３３‥‥折り込み舌片
１３４‥‥強化舌片
１３５‥‥第１差し込み片
１３６‥‥装飾舌片
１７１‥‥第２側板
１７２‥‥第２底板装飾板
１７３‥‥折り込み舌片
１７４‥‥強化舌片
１７５‥‥第２差し込み片
１７６‥‥装飾舌片
ａ‥‥差し込み片の谷折り線
ｂ‥‥折り込み舌片の谷折り線
【図１】
0004710442.tif 000002
【図２】
0004710442.tif 000003
【図３】
0004710442.tif 000004
【図４】
0004710442.tif 000005